(57)【要約】【課題】水栓装置の設置現場の状況に応じて吐水管の回転範囲を自在に調節し得、適正な回転範囲とすることのできる回転式の吐水管を備えた水栓装置を提供する。【解決手段】吐水管１６の基端部２０を水栓本体１５にて回転可能に支持するようになした水栓装置１０において、基端部２０の内面に、回転方向に相対位置が変化可能な部分リング状をなす当接部材５８及び６０を有するストッパ部材４８を設けて、雄ねじ部材５０にてこれを基端部２０に固定する。そして当接部材５８及び６０の相対位置変化によりストッパ部材４８の周長を変化させ、吐水管１６の回転規制の位置を変化可能とする。【選択図】        図３
2008285905.tif 000002
【特許請求の範囲】
【請求項１】
先端部に吐水口を有する吐水管の円筒状の基端部を該吐水管に対する支持部に外嵌し、該支持部にて該基端部を回転可能に支持するようになした水栓装置において
前記支持部の外面又は前記基端部の内面の一方に且つ該外面と内面との間の空間内に、それら支持部及び基端部とは別体をなし、径方向に重なる状態に配置されて該基端部の回転方向に互いに相対位置が変化可能な部分リング状をなす第１の当接部材及び第２の当接部材を有するストッパ部材を設けるとともに、それら第１の当接部材と第２の当接部材との相対位置を位置決めする位置決手段及び前記ストッパ部材を前記一方に固定する固定手段を設け、
且つ前記支持部の外面又は前記基端部の内面の他方には、該ストッパ部材における前記基端部の回転方向の端に当接する当り部を設けて、該当接により前記吐水管の回転を規制するようになすとともに、前記第１の当接部材及び第２の当接部材の前記相対位置の変化による前記ストッパ部材の周長の変化により、該吐水管の回転規制の位置を変化可能となしてあることを特徴とする水栓装置。
【請求項２】
請求項１において、前記ストッパ部材が前記吐水管の基端部の内面に設けてあるとともに、該基端部には前記固定手段及び位置決手段を兼ねた雄ねじ部材が設けてあって、該雄ねじ部材の締込みにより該ストッパ部材が該基端部に固定され且つ前記第１の当接部材と第２の当接部材との前記相対位置が位置決めされるようになしてあることを特徴とする水栓装置。
【請求項３】
請求項２において、前記第１の当接部材が径方向の内側に、前記第２の当接部材が径方向の外側にそれぞれ配置されており、該第２の当接部材には前記基端部の回転方向に延びる貫通の長孔が設けられていて、前記雄ねじ部材が該長孔を径方向に挿通し、先端部が前記第１の当接部材に螺合されていることを特徴とする水栓装置。
【請求項４】
請求項１において、前記位置決手段が、前記第１の当接部材と前記第２の当接部材との一方に設けられた嵌合孔と、他方に設けられて該嵌合孔に嵌合する嵌合突起とで構成してあり、且つ該嵌合孔は前記基端部の回転方向に沿って複数設けてあることを特徴とする水栓装置。
【請求項５】
請求項１，４の何れかにおいて、前記固定手段が、前記ストッパ部材に設けられた可動側のセレーション部と、対応する前記支持部の外面又は前記基端部の内面の一方に設けられた固定側のセレーション部とで構成してあり、それら可動側のセレーション部と固定側のセレーション部との噛合いに基いて前記ストッパ部材が固定され、且つ噛合位置を変化させることで該ストッパ部材が前記基端部の回転方向に位置変化可能となしてあることを特徴とする水栓装置。
【請求項６】
請求項５において、前記ストッパ部材が前記支持部の外面に設けてあり、前記固定側セレーション部が該支持部の外面に、前記可動側のセレーション部が前記ストッパ部材の内面に設けてあることを特徴とする水栓装置。
【請求項７】
先端部に吐水口を有する吐水管の円筒状の基端部を該吐水管に対する支持部に外嵌し、該支持部にて該基端部を回転可能に支持するようになした水栓装置において
前記支持部の外面及び前記基端部の内面の間の空間内に、それら支持部及び基端部とは別体をなす第１及び第２の一対の当接部材を該基端部の回転方向に離隔して配置し、
該支持部の外面又は前記基端部の内面の一方に固定側のセレーション部を、前記第１及び第２の当接部材のそれぞれの対応する内面又は外面に可動側のセレーション部を設けて、それら固定側のセレーション部と可動側のセレーション部との噛合いにより該第１及び第２の当接部材を固定し、且つ噛合位置を変化させることによりそれら第１及び第２の当接部材のそれぞれを前記基端部の回転方向に位置変化させるようになす一方
前記支持部の外面又は前記基端部の内面の他方には、該基端部の回転に伴って前記第１の当接部材，第２の当接部材に当接して前記吐水管の回転規制をなす当り部を設けたことを特徴とする水栓装置。
【発明の詳細な説明】
【技術分野】
【０００１】
この発明は水栓装置に関し、詳しくは先端部に吐水口を有する吐水管に対する回転規制の構造に特徴を有するものに関する。
【背景技術】
【０００２】
従来、先端部に吐水口を有する吐水管の円筒状の基端部を吐水管に対する支持部に外嵌し、その支持部にて吐水管の基端部を回転可能に支持するようになした水栓装置が広く用いられている。
このような水栓装置において、支持部の外面に、吐水管の回転方向（詳しくはその基端部の回転方向）に離隔して一対の当接部を設ける一方、吐水管の基端部に径方向内方に突出する状態で当り部を設け、吐水管の回転の際にその当り部を当接部に当接させることによって、吐水管の回転を規制するようになした水栓装置が従来公知である。
例えば下記特許文献１にこの種の水栓装置が開示されている。
図１８はその一例を示している。
【０００３】
同図において、２００は先端部に吐水口を有する吐水管で、２０２は吐水管２００を支持する支持部（ここでは水栓本体）である。
２０４は吐水管２００における円筒状の基端部で、吐水管２００はこの基端部２０４が支持部２０２に外嵌され、かかる支持部２０２にて回転可能に支持されている。
【０００４】
支持部２０２には、図１８（Ａ）に示しているように吐水管２００の回転方向、詳しくは基端部２０４の回転方向に離隔した位置に当接部２０６Ａ，２０６Ｂが設けられており、一方吐水管２００の基端部２０４には、径方向内方に突出する状態で突起形状の当り部２０８が設けられている。
【０００５】
この水栓装置では、吐水管２００を図中反時計方向に回転させると、当り部２０８が当接部２０６Ａに当接してそこで吐水管２００が回転規制され、また逆方向である図中時計方向に吐水管２００を回転させると、当り部２０８が当接部２０６Ｂに当接してそこで吐水管２００が回転規制される。
【０００６】
しかしながらこの水栓装置の場合、吐水管２００の回転範囲が一定であり、水栓装置の設置現場の状況に応じて、その回転範囲を変えることができないといった問題がある。
例えば水栓装置を流し台のシンクに取り付けるに際して、シンクのサイズや形状によって、或いはその取付位置がシンクの中央位置である場合と、右側に偏った位置である場合、或いは左側に偏った位置である場合とで、吐水管２００の適正な回転範囲が異なってくる。
また流し台が壁に面して設置されておらず、キッチンの中央に独立して設置されているような場合では、吐水管の必要な回転範囲も自ずと異なったものとなってくる。
【０００７】
しかるに図１８に示す水栓装置では、そうした設置現場の状況に応じて吐水管２００の回転範囲を適正な回転範囲に調節することができない。
この場合水栓装置の使い勝手が悪くなり、また場合によって吐水管先端部の吐水口がシンクから外れて、シンク外に誤って吐水されてしまうといったことも起り得る。
従って水栓装置としては、設置現場の状況に応じて吐水管の回転範囲を様々に調節できるようにしておくことが望ましい。
【０００８】
吐水管の回転規制の構造については、下記特許文献２にも開示されている。しかしながらこの特許文献２に開示のものも、吐水管の回転範囲を水栓装置の設置現場の状況に応じて調節することのできないものである。
【０００９】
他方、特許文献３，特許文献４には吐水管の回転範囲を調節可能となしたものが開示されているが、これら特許文献３，特許文献４に開示のものでは、変更可能な吐水管の回転範囲が予め定まっており、水栓装置の設置現場の状況に応じて吐水管の回転範囲を適正な回転範囲に自在に調節することができない問題がある。
【００１０】
【特許文献１】実公平６−３０９１９号公報
【特許文献２】特開平１１−５０４９８号公報
【特許文献３】特開平１０−８８６３３号公報
【特許文献４】特開平９−１３４５０号公報
【発明の開示】
【発明が解決しようとする課題】
【００１１】
本発明は以上のような事情を背景とし、水栓装置の設置現場の状況に応じて吐水管の回転範囲を自在に調節することのできる回転式の吐水管を備えた水栓装置を提供することを目的としてなされたものである。
【課題を解決するための手段】
【００１２】
而して請求項１のものは、先端部に吐水口を有する吐水管の円筒状の基端部を該吐水管に対する支持部に外嵌し、該支持部にて該基端部を回転可能に支持するようになした水栓装置において、前記支持部の外面又は前記基端部の内面の一方に且つ該外面と内面との間の空間内に、それら支持部及び基端部とは別体をなし、径方向に重なる状態に配置されて該基端部の回転方向に互いに相対位置が変化可能な部分リング状をなす第１の当接部材及び第２の当接部材を有するストッパ部材を設けるとともに、それら第１の当接部材と第２の当接部材との相対位置を位置決めする位置決手段及び前記ストッパ部材を前記一方に固定する固定手段を設け、且つ前記支持部の外面又は前記基端部の内面の他方には、該ストッパ部材における前記基端部の回転方向の端に当接する当り部を設けて、該当接により前記吐水管の回転を規制するようになすとともに、前記第１の当接部材及び第２の当接部材の前記相対位置の変化による前記ストッパ部材の周長の変化により、該吐水管の回転規制の位置を変化可能となしてあることを特徴とする。
【００１３】
請求項２のものは、請求項１において、前記ストッパ部材が前記吐水管の基端部の内面に設けてあるとともに、該基端部には前記固定手段及び位置決手段を兼ねた雄ねじ部材が設けてあって、該雄ねじ部材の締込みにより該ストッパ部材が該基端部に固定され且つ前記第１の当接部材と第２の当接部材との前記相対位置が位置決めされるようになしてあることを特徴とする。
【００１４】
請求項３のものは、請求項２において、前記第１の当接部材が径方向の内側に、前記第２の当接部材が径方向の外側にそれぞれ配置されており、該第２の当接部材には前記基端部の回転方向に延びる貫通の長孔が設けられていて、前記雄ねじ部材が該長孔を径方向に挿通し、先端部が前記第１の当接部材に螺合されていることを特徴とする。
【００１５】
請求項４のものは、請求項１において、前記位置決手段が、前記第１の当接部材と前記第２の当接部材との一方に設けられた嵌合孔と、他方に設けられて該嵌合孔に嵌合する嵌合突起とで構成してあり、且つ該嵌合孔は前記基端部の回転方向に沿って複数設けてあることを特徴とする。
【００１６】
請求項５のものは、請求項１，４の何れかにおいて、前記固定手段が、前記ストッパ部材に設けられた可動側のセレーション部と、対応する前記支持部の外面又は前記基端部の内面の一方に設けられた固定側のセレーション部とで構成してあり、それら可動側のセレーション部と固定側のセレーション部との噛合いに基いて前記ストッパ部材が固定され、且つ噛合位置を変化させることで該ストッパ部材が前記基端部の回転方向に位置変化可能となしてあることを特徴とする。
【００１７】
請求項６のものは、請求項５において、前記ストッパ部材が前記支持部の外面に設けてあり、前記固定側セレーション部が該支持部の外面に、前記可動側のセレーション部が前記ストッパ部材の内面に設けてあることを特徴とする。
【００１８】
請求項７のものは、先端部に吐水口を有する吐水管の円筒状の基端部を該吐水管に対する支持部に外嵌し、該支持部にて該基端部を回転可能に支持するようになした水栓装置において、前記支持部の外面及び前記基端部の内面の間の空間内に、それら支持部及び基端部とは別体をなす第１及び第２の一対の当接部材を該基端部の回転方向に離隔して配置し、該支持部の外面又は前記基端部の内面の一方に固定側のセレーション部を、前記第１及び第２の当接部材のそれぞれの対応する内面又は外面に可動側のセレーション部を設けて、それら固定側のセレーション部と可動側のセレーション部との噛合いにより該第１及び第２の当接部材を固定し、且つ噛合位置を変化させることによりそれら第１及び第２の当接部材のそれぞれを前記基端部の回転方向に位置変化させるようになす一方、前記支持部の外面又は前記基端部の内面の他方には、該基端部の回転に伴って前記第１の当接部材，第２の当接部材に当接して前記吐水管の回転規制をなす当り部を設けたことを特徴とする。
【発明の作用・効果】
【００１９】
以上のように請求項１のものは、支持部の外面又は吐水管基端部の内面の一方に且つそれら外面と内面との間の空間内に、基端部の回転方向に相対位置が変化可能な部分リング状をなす第１の当接部材及び第２の当接部材を有するストッパ部材を設け、また他方にはそのストッパ部材における基端部の回転方向の端に当接する当り部を設け、それらの当接により吐水管の回転を規制するようになすとともに、第１の当接部材及び第２の当接部材の相対位置変化によるストッパ部材の周長の変化により、吐水管の回転規制の位置を変化可能となしたもので、かかる請求項１によれば、ストッパ部材を構成している第１の当接部材及び第２の当接部材の相対位置変化により、ストッパ部材の周長を変化させることで、吐水管の回転規制の位置を様々に且つ自在に変化させることが可能となる。
【００２０】
従ってこの請求項１の水栓装置によれば、水栓装置の設置現場の状況に応じて、吐水管の回転範囲を適正な範囲に調節することが可能となる。
尚、吐水管の回転範囲の調節は水栓装置の設置現場で行うこともできるし、或いは水栓装置の設置現場の状況が予め分っている場合には設置に先立って事前に調節しておくことも可能である。
【００２１】
本発明では、ストッパ部材を吐水管の基端部の内面に設け、そしてその基端部に固定手段及び位置決手段を兼ねた雄ねじ部材を設けて、その雄ねじ部材の締込みによりストッパ部材を基端部に固定し、且つ第１の当接部材と第２の当接部材との相対位置を位置決めするようになしておくことができる（請求項２）。
このようにすれば、ストッパ部材を容易に取り付けることができるとともに、雄ねじ部材を緩めることで第１の当接部材と第２の当接部材との相対位置を簡単に変化させ、且つその状態で雄ねじ部材を締め込むことで、それら第１の当接部材と第２の当接部材との相対位置を簡単に位置決め状態に固定することができる。
【００２２】
この請求項２では、第１の当接部材を径方向内側に、第２の当接部材を径方向外側に配置し、雄ねじ部材を締め込むことで、第２の当接部材を第１の当接部材と吐水管基端部の内面とで挟み付けるようになしておくことができる。
【００２３】
この場合において第２の当接部材には、吐水管基端部の回転方向に延びる長孔を設けておいて、雄ねじ部材をその長孔に挿通し、先端部を径方向内側の第１の当接部材に螺合するようになすことができる（請求項３）。
この場合、第１の当接部材と第２の当接部材とを回転方向に無段階で連続的に位置変更することが可能であり、吐水管の回転に対する規制位置を、即ち吐水管の回転範囲をより自在に調節することが可能となる。
【００２４】
請求項１において、上記位置決手段は、第１の当接部材と第２の当接部材との一方に設けられた嵌合孔と、他方に設けられて嵌合孔に嵌合する嵌合突起とで構成し、且つその嵌合孔は吐水管基端部の回転方向に沿って複数設けておくことができる（請求項４）。
【００２５】
この請求項４では、嵌合孔と嵌合突起との嵌合に基いて、第１の当接部材と第２の当接部材との回転方向の相対位置を位置決めすることができ、且つ嵌合突起と嵌合する嵌合孔を変えることによって、第１の当接部材と第２の当接部材との回転方向の相対位置を変化させることができる。
【００２６】
この請求項４では、第１の当接部材と第２の当接部材との相対位置が段階的に変化することとなるが、嵌合孔の数を小ピッチで多数設けておくことで、多段階に相対位置を位置変化させることができ、従って吐水管の回転範囲を水栓装置の設置現場の状況に応じて多段階に自在に変化させ、調節することができる。
【００２７】
次に請求項５は、ストッパ部材に設けた可動側のセレーション部と、対応する支持部の外面又は基端部の内面の一方に設けた固定側のセレーション部とで固定手段を構成し、それらセレーション部の噛合いに基いてストッパ部材を固定するとともに、その噛合位置を変化させることでストッパ部材を吐水管基端部の回転方向に位置変化可能となしたものである。
【００２８】
この請求項５によれば、ストッパ部材の回転方向位置を自在に変化させることができ、更にその上で第１の当接部材と第２の当接部材との回転方向の相対位置を変化させ、ストッパ部材の周長を変えることで、吐水管の回転規制の位置をより自在に変化させることができる。
【００２９】
この場合において、上記ストッパ部材を支持部の外面に設け、そして上記の固定側のセレーション部を支持部の外面に、可動側のセレーション部をストッパ部材の内面に設けて、それらを噛合せ状態となしておくことができる（請求項６）。
【００３０】
次に請求項７は、支持部の外面と吐水管基端部の内面との間の空間内に第１及び第２の一対の当接部材を基端部の回転方向に離隔して配置するとともに、支持部の外面又は基端部の内面の一方に固定側のセレーション部を、第１及び第２の当接部材のそれぞれの対応する内面又は外面に可動側のセレーション部を設けてそれらを噛み合せ、その噛合せに基いて第１及び第２の当接部材をそれぞれ固定し、且つ噛合位置を変化させることで第１及び第２の当接部材の回転方向位置をそれぞれ変化させるようになしたもので、この請求項７においても、第１及び第２の一対の当接部材の回転方向位置を変化させることで、吐水管の回転規制の位置を自在に変化させることができ、従ってこの請求項７においても、水栓装置の設置現場の状況に応じて吐水管の回転範囲を自在に且つ適正範囲に調節することができる。
【発明を実施するための最良の形態】
【００３１】
次に本発明の実施形態を図面に基づいて詳しく説明する。
図１において、１０はカウンター（取付基体）１２に対し取付孔１４において取り付けられた水栓装置で、１５は水栓装置１０における水栓本体（支持部）、１７は水栓本体１５上部に設けられたシングルレバー操作部、１６は水栓本体１５から延び出した、先端部に吐水口１８を有する吐水管である。
吐水管１６は円筒状の基端部２０を有しており、この基端部２０において水栓本体１５により回転可能に支持されている。
【００３２】
図２に水栓装置１０の内部構造が具体的に示してある。
同図において２２は取付装置で、水栓本体１５はこの取付装置２２にてカウンター１２に取り付けられている。
そしてこの水栓本体１５に対して、詳しくはその底部３８に対して水，湯を供給するサプライ管２４が取付孔１４を貫通して接続されている。
尚２３は、水栓本体１５と取付装置２２との締結個所を外側から覆って隠蔽する化粧リングである。
【００３３】
吐水管１６の基端部２０は円筒状をなしていて、この基端部２０が水栓本体１５に外嵌され、基端部２０が水栓本体１５により回転可能に支持されている。
水栓本体１５には、固定弁体２６と、その上面を摺動する可動弁体２８とを有する混合弁３０が内蔵されており、そしてその可動弁体２８に対して上記のシングルレバー操作部１７が、連結軸３２を介して作動的に連結されている。
【００３４】
このシングルレバー式の湯水混合の水栓装置１０では、シングルレバー操作部１７を上下に回動操作することで、可動弁体２８の移動により吐止水と水量調節とが行われ、また左右回動操作することで水と湯との混合比率が変化せしめられて、混合水温度が調節される。
この混合水は、混合室３４から流出口３６を経て図中下向きに流出し、更に吐水管１６内部を流通して、先端部の吐水口１８から吐出される。
【００３５】
尚、図２において４０は水栓本体１５の一部をなすキャップで、このキャップ４０はナットを兼ねており、このキャップ４０が水栓本体１５の下部４１に下向きにねじ込まれ、取り付けられている。
またシングルレバー操作部１７は、開口４２の内側において固定ビス４４により連結軸３２にねじ締結され、そして固定ビス４４による固定部が、開口４２を閉鎖する化粧蓋４６にて内側に隠蔽されている。
【００３６】
この水栓装置１０では、化粧蓋４６を外し、固定ビス４４による締結を外すことでシングルレバー操作部１７を取り外すことができ、更にその状態でキャップ４０を取り外すことで、吐水管１６における基端部２０を水栓本体１５、詳しくはその下部４１から図中上向きに抜き出すことが可能である。
また以上とは逆の順序でそれらを再組付けすることができる。
【００３７】
図３に示しているように水栓本体１５、詳しくは底部３８の外面と吐水管１６の基端部２０の内面との間の空間にはストッパ部材４８が配置され、かかるストッパ部材４８が、雄ねじ部材５０にて基端部２０に一体回転状態に取り付けられている。
基端部２０には、径方向に貫通の取付孔５２が形成され、そこに雄ねじ部材５０が先端部を基端部２０の内方に突出させる状態に取り付けられている。
ここで取付孔５２は外周側の部分が大径の凹部５４とされていて、そこに雄ねじ部材５０の大径の頭部５６が収容されている。
【００３８】
ストッパ部材４８は、水栓本体１５及び基端部２０とは別体をなし、それぞれが部分リング状（円弧形状）をなす径方向内側の第１の当接部材５８と、径方向外側の第２の当接部材６０とを有しており、それらが径方向に重ね合せ状態で、雄ねじ部材５０にて基端部２０に固定されている。
ここで第１の当接部材５８と第２の当接部材６０とは、基端部２０の回転方向において相対位置が変化可能であり、その相対位置を変化させることによって、ストッパ部材４８全体の周長を変えることができる。
【００３９】
径方向外側の第２の当接部材６０は、基端部２０の回転方向に長く延びる長孔６２を有しており、一方径方向内側の第１の当接部材５８には、回転方向中心部に雌ねじ部６４が設けられており、そこに雄ねじ部材５０の先端側の部分が螺合されている。
尚第１の当接部材５８，第２の当接部材６０ともに内面，外面が何れも円弧面をなしている。
【００４０】
この例の場合、雄ねじ部材５０を緩めた状態で、第２の当接部材６０を、長孔６２内で雄ねじ部材５０を相対移動させつつ回転移動させ、第１の当接部材５８に対する第２の当接部材６０の回転方向位置を変化させることができる。
そして位置変化後において雄ねじ部材５０を強く締め込むと、雄ねじ部材５０と第１の当接部材５８の雌ねじ部６４との螺合作用によって、第１の当接部材５８と第２の当接部材６０とが基端部２０の内面に強く締め付けられ、固定された状態となる。
即ちこの例では、雄ねじ部材５０がストッパ部材４８を基端部２０に固定する固定手段、及び第１の当接部材５８と第２の当接部材６０との回転方向の相対位置を位置決めする位置決手段をなしている。
【００４１】
一方水栓本体１５の外面には当り部６６Ａ，６６Ｂが設けられており、吐水管１６の回転の際にそれら当り部６６Ａ，６６Ｂがストッパ部材４８の周端、即ち吐水管１６の基端部２０の回転方向の端に当接することによって、吐水管１６の回転が規制されるようになっている。
【００４２】
この実施形態では、図３に示す状態の下で吐水管１６を図４（Ａ）に示すように図中時計方向に回転させると、ある角度θ１だけ回転したところで当り部６６Ｂが、吐水管１６の基端部２０と一体に回転するストッパ部材４８の図中右端に当接して、そこで吐水管１６の回転が規制される。
また一方、図３に示す状態から吐水管１６を図中反時計方向に回転させると、角度θ１だけ回転したところで、今度は当り部６６Ａがストッパ部材４８の図中左端に当接して、そこで吐水管１６の回転が規制される。
【００４３】
図５は、ストッパ部材４８における第２の当接部材６０を、第１の当接部材５８に対し図中左向き、即ち反時計方向に回転移動させ、回転方向の相対位置を変化させた状態を表している。
ここでは第２の当接部材６０を一杯まで図中左向きに回転させた状態で表しているが、勿論その途中の位置で雄ねじ部材５０の締込みにより第２の当接部材６０を位置決めし、固定状態としておくこともできる。
【００４４】
図５に示す状態の下で、吐水管１６を図６（Ａ）に示すように時計方向に回転させると、当り部６６Ｂがストッパ部材４８における径方向内側の第１の当接部材５８の図中右端に当接し、そこで吐水管１６の回転が規制される。
このときの回転角度はθ１で、図４（Ａ）に示すのと同様である。
一方、吐水管１６を逆方向である反時計方向に回転させ、そして角度θ２だけ回転させたところで、今度は当り部６６Ａがストッパ部材４８における第２の当接部材６０の図中左端に当接し、そこにおいて吐水管１６の更なる回転が規制される。
即ち、第１の当接部材５８と第２の当接部材６０との回転方向の相対位置変化により、ストッパ部材４８の全体の周長が変化することで、吐水管１６の回転に対する規制位置が変化し、吐水管１６の回転可能な範囲が変化せしめられる。
【００４５】
一方、図７は第２の当接部材６０を第１の当接部材５８に対し上記とは逆方向に相対移動させ、ストッパ部材４８の周長を異ならせた場合の作用を表したもので、図７（Ａ）に示すように、このときには、吐水管１６を時計方向にθ２だけ回転させたところで、そこで当り部６６Ｂがストッパ部材４８の第２の当接部材６０の図中右端に当接して、そこで吐水管１６の回転が規制される。
一方図７（Ｂ）に示すように吐水管１６を反時計方向に角度θ１だけ回転させると、このとき当り部６６Ａがストッパ部材４８の第１の当接部材５８の図中左端に当接して、吐水管１６の更なる回転が規制される。
【００４６】
図６，図７は、第２の当接部材６０を図中左方向と右方向とに一杯まで相対移動させたときの作用を表わしているが、勿論その途中の位置で第２のストッパ部材６０を位置決めし固定したときには、第２のストッパ部材６０の位置に応じて吐水管１６の回転規制の位置が異なったものとなる。即ち第２の当接部材６０の位置に応じて吐水管１６の回転可能な範囲が調節される。
【００４７】
以上のような本実施形態によれば、ストッパ部材４８を構成している第１の当接部材５８及び第２の当接部材６０の相対位置変化により、ストッパ部材４８の周長を変化させることで、吐水管１６の回転規制の位置を様々に且つ自在に変化させることができる。
従って本実施形態によれば、水栓装置１０の設置現場の状況に応じて吐水管１６の回転範囲を適正な範囲に調節することが可能となる。
尚、吐水管１６の回転範囲の調節は水栓装置１０の設置現場で行うこともできるし、或いは水栓装置１０の設置現場の状況が予め分っている場合には、設置に先立って事前に調節しておくことも可能である。
【００４８】
本実施形態では、雄ねじ部材５０の締込みによりストッパ部材４８を基端部２０に固定し、且つ第１の当接部材５８と第２の当接部材６０との相対位置を位置決めするようにしてあるため、ストッパ部材４８を容易に取り付けることができるとともに、雄ねじ部材５０を緩めることで、第１の当接部材５８と第２の当接部材６０との相対位置を簡単に変化させ、且つその状態で雄ねじ部材５０を締め込むことで、それら第１の当接部材５８と第２の当接部材６０との相対位置を簡単に位置決めし、固定状態とすることができる。
【００４９】
またこの実施形態では第１の当接部材５８と第２の当接部材６０とを回転方向に無段階で連続的に位置変更することが可能であり、吐水管１６の回転に対する規制位置を、即ち吐水管１６の回転範囲をより自在に調節することができる。
【００５０】
図８及び図９は本発明の他の実施形態を示している。
この実施形態は、第１の当接部材５８，第２の当接部材６０ともに、基端部２０の回転方向に延びる長孔６２を有する形態として、それぞれを回転方向に相対位置変化可能に重ね合せるとともに、第１の当接部材５８の更に径方向内側に、雌ねじ部６４を有する締付部材６８を設けて、雄ねじ部材５０の先端部をその締付部材６８の雌ねじ部６４に螺合し、以ってストッパ部材４８を基端部２０の側に取付固定するようになした例である。
【００５１】
この例では、第２の当接部材６０に加えて、第１の当接部材５８も長孔６２において雄ねじ部材５０に対し回転方向に位置変更可能であり、上記実施形態のものに比べてストッパ部材４８の図中左端と右端、即ち当り部６６Ａ，６６Ｂが当接する当り面の位置を、より広範囲に調節可能となすことができる（図９参照）。
【００５２】
図１０は本発明の更に他の実施形態を示している。
この例は水栓本体１５の側、詳しくは底部３８の外面にストッパ部材４８を設け、対応して吐水管１６の基端部２０の側に当り部７０を設けた例である。
ここで当り部７０は、基端部２０にねじ込んだ雄ねじ部材にて構成してあり、図示のようにこの当り部７０は、径方向内方に突出する突起形状で構成してある。
【００５３】
この例においても、ストッパ部材４８は、それぞれ部分リング状をなす径方向内側の第１の当接部材５８と、径方向外側の第２の当接部材６０とで構成されており、径方向外側の第２の当接部材６０が、径方向内側の第１の当接部材５８に対し基端部２０の回転方向に相対位置が変化可能となしてあり、そしてその変化によりストッパ部材４８全体の周長が変化せしめられ、これに応じて吐水管１６の回転規制の位置が調節される。
【００５４】
この例では、水栓本体１５の底部３８の円形の外面に沿って雄セレーション部７２が設けられており、また一方ストッパ部材４８における径方向内側の第１の当接部材５８の内面には、対応する雌セレーション部７４が設けられ、それら雄セレーション部７２と雌セレーション部７４とが噛み合わされている。
そしてその噛合いにより、ストッパ部材４８が水栓本体１５の側に固定状態（回転方向に固定状態）とされている。
【００５５】
径方向内側の第１の当接部材５８の外面には、径方向外方に突出する嵌合突起７６が設けられている。
一方径方向外側の第２の当接部材６０には、対応する嵌合孔７８が設けられ、それら嵌合孔７８と嵌合突起７６との嵌合に基いて、第１の当接部材５８と第２の当接部材６０との回転方向位置（相対位置）が位置決めされるようになっている。
ここで第２の当接部材６０には同一形状，同一大きさの嵌合孔７８が、基端部２０の回転方向に沿って複数設けられており、それら複数の嵌合孔７８の何れに対しても嵌合突起７６が嵌合可能である。
【００５６】
即ちこの実施形態では、嵌合突起７６と嵌合する嵌合孔７８を変えることによって、第１の当接部材５８と第２の当接部材６０との回転方向の相対位置が変化せしめられ、且つその状態でそれら第１の当接部材５８と第２の当接部材６０との相対位置が定められる。
【００５７】
この実施形態では、径方向内側の第１の当接部材５８もまた回転方向に位置変更可能（つまりストッパ部材４８自体が位置変更可能）である。
即ち、水栓本体１５の側の雄セレーション部７２と、第１の当接部材５８の側の雌セレーション部７４との噛合位置を回転方向に異ならせることで、第１の当接部材５８の回転方向位置を変更し、且つ変更後の位置に固定状態とすることができる。
【００５８】
この実施形態では、図１０に示す状態の下で吐水管１６を図１１（Ａ）に示すように時計方向に角度θ３だけ回転させると、そこで吐水管１６の基端部２０と一体に回転する当り部７０が、ストッパ部材４８の図中右端に当接し、そこで吐水管１６の回転が規制される。
逆に図１０に示す状態から吐水管１６を反時計方向に角度θ３だけ回転させると、今度は当り部７０がストッパ部材４８の図中左端に当接して、そこで吐水管１６の回転が規制される。
【００５９】
一方図１２に示すように、嵌合突起７６と嵌合孔７８との嵌合位置を変え、第２の当接部材６０を第１の当接部材５８に対し反時計方向に回転移動させてそこに位置決めすることで、ストッパ部材４８の周長が長くなり、基端部２０側の当り部７０との当り面の位置が変化せしめられる。
【００６０】
この図１２に示す状態の下では、図１３（Ａ）に示すように吐水管１６を角度θ４だけ図中時計方向に回転させると、当り部７０が第２の当接部材６０の図中右端に当接して、そこで吐水管１６の更なる回転が規制される。
一方吐水管１６を反時計方向に回転させると、吐水管１６が角度θ３だけ回転したところで、当り部７０が第１の当接部材５８の図中左端に当接して、そこで吐水管１６の更なる回転が規制される。
尚、第２の当接部材６０を第１の当接部材５８に対して図中左方向に回転移動させ、これによって吐水管１６の回転に対する規制位置を変えることも勿論可能である。
【００６１】
またここでは嵌合孔７８が全体で５個設けられており、第１の当接部材５８と第２の当接部材６０との回転方向の相対位置が５段階に変更可能となしてあるが、嵌合孔７８の数を更に多くすることで、より多段階にそれら第１の当接部材５８と第２の当接部材６０との回転方向の相対位置を変化させることが可能であり、これに応じて、よりきめ細かく吐水管１６の回転規制位置を調節することが可能となる。
【００６２】
この実施形態では、図１４に示すように第１の当接部材５８もまた、水栓本体１５に対し回転方向位置を変えることが可能であり、図１５に示しているようにこれに応じて吐水管１６の回転に対する規制位置を更に変化させることが可能である。
尚図１５の作用図では、吐水管１６が時計方向と反時計方向とにそれぞれ角度θ４だけ回転したところで、吐水管１６の回転が規制される場合を表わしている。
【００６３】
図１６は本発明の更に他の実施形態を示している。
図において８０Ａ，８０Ｂは、水栓本体１５の外面と吐水管１６の基端部２０の内面との間の環状空間に配置された、水栓本体１５及び基端部２０とは別体をなすブロック状の当接部材で、互いに基端部２０の回転方向に離隔して配置されている。
ここでブロック状をなす一対の当接部材８０Ａ，８０Ｂは、外面及び内面が何れも円弧形状をなしており、その外面が基端部２０の内面に対して相対摺動可能となしてある。
【００６４】
また各当接部材８０Ａ，８０Ｂの円形の内面には雌セレーション部７４がそれぞれ設けられており、それら雌セレーション部７４が、水栓本体１５の円形の外面に沿って形成された雄セレーション部７２に噛み合わされている。
そしてその噛合いに基いて一対の当接部材８０Ａ，８０Ｂが水栓本体１５側に固定状態とされている。
また一方、吐水管１６の基端部２０には、図１０に示すのと同様の突起形状の当り部７０が径方向内方に突出する状態で設けられている。
【００６５】
この実施形態では、一対の当接部材８０Ａ，８０Ｂが雌セレーション部７４と雄セレーション部７２との噛合いに基いて水栓本体１５側に固定され、且つそれらの噛合位置を変化させることで基端部２０の回転方向に組付位置が変化可能である。
【００６６】
この実施形態では、図１７（Ａ）に示しているように吐水管１６を図中時計方向に回転させると、吐水管１６が角度θ５だけ回転したところで、当り部７０が図中右側の当接部材８０Ｂに当接して、そこで吐水管１６の回転が規制される。
また逆方向である反時計方向に吐水管１６を回転させると、吐水管１６が角度θ５だけ回転したところで、当り部７０が今度は図中左側の当接部材８０Ａに当接して、そこで吐水管１６の回転が規制される。
【００６７】
この実施形態では、上記のように一対の当接部材８０Ａ，８０Ｂのそれぞれは、図１７（Ａ）の２点鎖線で示しているように雌セレーション部７４と雄セレーション部７２との噛合位置を周方向に沿って変化させることで、それぞれの基端部２０の回転方向の位置を変化させることが可能であり、これに応じて吐水管１６の回転に対する規制位置を自在に変化させることができる。
【００６８】
この実施形態においても、一対の当接部材８０Ａ，８０Ｂの回転方向位置を変化させることで、吐水管１６の回転規制の位置を自在に変化させることができ、従ってこの実施形態においても、水栓装置１０の設置現場の状況に応じて、吐水管１６の回転範囲を自在に且つ適正範囲に調節することができる。
【００６９】
以上本発明の実施形態を詳述したがこれはあくまで一例示である。
例えば図１０〜図１５の実施形態において、ストッパ部材４８を水栓本体１５側ではなく、吐水管１６の基端部２０の側に設け、基端部２０の内面に雌セレーション部を、ストッパ部材４８の外面に雄セレーション部を設けて、それらを噛み合わせるようになし、また水栓本体１５側に当り部を設けるといったことも可能である。
この点については図１６及び図１７に示す実施形態においても同様である。
同様に図３〜図９のストッパ部材４８を水栓本体１５側に設けて固定手段により固定し、また当り部を吐水管１６の基端部２０側に設けるといったことも可能である。更に水栓本体以外の支持部にて吐水管１６の基端部２０を回転可能に支持するようになすことも可能である等、本発明はその趣旨を逸脱しない範囲において種々変更を加えた形態で構成可能である。
【図面の簡単な説明】
【００７０】
【図１】本発明の一実施形態の水栓装置をカウンターへの取付状態で示した全体図である。
【図２】同実施形態の水栓装置の内部構造を示す図である。
【図３】同実施形態の要部の図である。
【図４】同実施形態の作用説明図である。
【図５】図４とは別の作用説明図である。
【図６】図５とは更に別の作用説明図である。
【図７】図６とは更に別の作用説明図である。
【図８】本発明の他の実施形態の要部の図である。
【図９】図８の実施形態の作用説明図である。
【図１０】本発明の更に他の実施形態の要部の図である。
【図１１】図１０の実施形態の作用説明図である。
【図１２】図１０のストッパ部材の位置を変更した状態の図である。
【図１３】図１２の作用説明図である。
【図１４】図１０のストッパ部材の位置を図１２とは異なる位置に変更した状態の図である。
【図１５】図１４の作用説明図である。
【図１６】本発明の更に他の実施形態の要部の図である。
【図１７】図１６の実施形態の作用説明図である。
【図１８】従来の水栓装置の一例を示す図である。
【符号の説明】
【００７１】
１０  水栓装置
１５  水栓本体（支持部）
１６  吐水管
１８  吐水口
２０  基端部
４８  ストッパ部材
５０  雄ねじ部材
５８  第１の当接部材
６０  第２の当接部材
６２  長孔
６６Ａ，６６Ｂ，７０  当り部
７２  雄セレーション部
７４  雌セレーション部
７６  嵌合突起
７８  嵌合孔
８０Ａ，８０Ｂ  当接部材
【図１】
2008285905.tif 000003
【図２】
2008285905.tif 000004
【図３】
2008285905.tif 000005
【図４】
2008285905.tif 000006
【図５】
2008285905.tif 000007
【図６】
2008285905.tif 000008
【図７】
2008285905.tif 000009
【図８】
2008285905.tif 000010
【図９】
2008285905.tif 000011
【図１０】
2008285905.tif 000012
【図１１】
2008285905.tif 000013
【図１２】
2008285905.tif 000014
【図１３】
2008285905.tif 000015
【図１４】
2008285905.tif 000016
【図１５】
2008285905.tif 000017
【図１６】
2008285905.tif 000018
【図１７】
2008285905.tif 000019
【図１８】
2008285905.tif 000020